(57)【要約】【課題】回路規模の増大によるコストの増大や処理速度の低下を招くことなく、ぼかした画像を利用した作風表現画像が得られる撮像装置を提供する。【解決手段】撮像準備状態において、表示手段８に動画表示するため、動画像処理手段３は間引きされた画像データを処理する。撮像開始指示手段１２により撮像が指示されると、読出制御手段２の制御により撮像手段１は全画素の画像データを静止画像処理手段４に出力する。その後、合成タイミング制御手段１４の制御により、動画像処理手段３は、撮像指示の直前の間引きされた画像データを合成手段６に出力し、拡大手段７がこの間引きされた画像データを拡大処理してぼかした画像を生成するとともに、静止画処理手段４は、画像処理された全画素の画像データを合成手段６に出力する。合成手段６は、静止画像処理手段４から出力された全画素の画像データと拡大手段７で生成されたぼかした画像とを合成する。【選択図】図１
2010206510.tif 000002
【特許請求の範囲】
【請求項１】
被写体の画像データを取得する撮像手段と、
前記撮像手段の画像データの読み出しを制御する読出制御手段と、
前記読出制御手段により、第一の解像度かつ第一のフレームレートで読み出された画像データを処理する第一の画像処理手段と、
前記読出制御手段により、第二の解像度かつ第二のフレームレートで読み出された画像データを処理する第二の画像処理手段と、
前記第二の解像度の画像データの読み出しを指示する撮像開始指示手段と、
前記撮像開始指示手段の指示に応じて、前記第一の画像処理手段からの画像データと前記第二の画像処理手段からの画像データとの合成タイミングを制御する合成タイミング制御手段と、
前記合成タイミング制御手段の制御により、前記第一の画像処理手段で処理された画像データを拡大処理する拡大手段と、
前記合成タイミング制御手段の制御により、前記拡大手段で拡大処理された画像データと前記第二の画像処理手段で処理された画像データとを合成する合成手段と、
を備えることを特徴とする撮像装置。
【請求項２】
前記読み出し制御手段は、前記第一の解像度かつ前記第一のフレームレートで動画を読み出し、前記撮像開始指示手段の指示により、前記第一の解像度より高い前記第二の解像度かつ前記第一のフレームレートより低い前記第二のフレームレートで静止画を読み出すように、前記撮像手段の画像データの読み出しを制御し、前記拡大手段は、前記第一の解像度である動画の順次の画像データを、前記第二の解像度に拡大処理することを特徴とする請求項１記載の撮像装置。
【請求項３】
前記第一の画像処理手段は、過去の画像情報の影響を含む画像データを生成するフレーム巡回型画像処理手段を有し、前記合成手段は、前記フレーム巡回型画像処理手段で処理された画像データと、前記第二の画像処理手段で処理された画像データとを合成することを特徴とする請求項１記載の撮像装置。
【発明の詳細な説明】
【技術分野】
【０００１】
本発明は、作風表現された画像を出力することができる撮像装置に関するものである。
【背景技術】
【０００２】
デジタルカメラ等の撮像装置において、撮像する画像の一部または全部にフィルタ処理を施して、独特の写真表現を可能にする作風表現機能が付加されているものが知られている。作風表現には、撮像画像を、ポップ・アート感覚的な作風、美しく幻想的な作風、記憶の中の風景を写すような作風等、種々のものがある。このような作風画像を得る方法のひとつとして、原画像と、原画像をぼかした画像とを合成する方法が知られている。例えば、ソフトフォーカスなどの作風表現を施すために、従来、原画像と、原画像にローパスフィルタ（以下、「フィルタ」と呼ぶ。）によるフィルタ処理を施した画像とを合成している。また、街の写真をミニチュア模型のように見せる作風表現では、原画像とフィルタ処理により原画像の周縁部をぼかした画像とを合成する手法が知られている。
【０００３】
一方、近年ＣＣＤやＣＭＯＳに代表される固体撮像素子の画素数が増加した結果、撮像装置の解像度、すなわち、撮像できる画像の画素数が大きくなっている。しかし、原画像の画素数が大きいと、原画像をぼかすために用いるフィルタのサイズも大きくしなければならず、必要な回路規模の増大を招いてしまうという問題点が生じる。そこで、フィルタのサイズを小さくするため、原画像を縮小処理し、この縮小した画像に対してフィルタ処理を行い、さらに、拡大処理を行った後、原画像と合成するという方法が採られている（例えば、特許文献１参照）。
【０００４】
一例として、従来技術における作風表現を施した画像を撮像する撮像装置を図８の機能ブロック図を参照して説明する。この撮像装置では、撮像手段５１で撮像された画像データが記憶手段５２に記憶された後、静止画像処理手段５３に入力される。この画像データは、静止画像処理手段５３で色処理等の所定の画像処理を施した後、フィルタ手段５５によりフィルタ処理され、縮小された画像を拡大手段５６で、線形補間等によってもとの画像データと同じ大きさに拡大されて、合成手段５７により静止画像処理手段５３に格納されている元の画像データと合成される。なお、動画像処理手段６０は、動画像記録用に設けられた画像処理手段である。動画像の記録と静止画像の記録とは、セレクタ５８により切替えられる。
【０００５】
しかし、上記のように縮小手段を用いる場合であっても、縮小画像を原画像から作るためには、原画像と同じ大きさの画像を縮小処理するための回路が必要になる。また、原画像が大きいときには、原画像を縮小するほか、フィルタ処理を多段階に分けて行う方法も知られている（例えば、特許文献２参照）。しかし、多段階にフィルタ処理をするには複数のフィルタを用意しなければならないため、必要な回路規模が増えてしまうという問題点がある。このため、特許文献１では、デジタルカメラのズーム回路に含まれるローパスフィルタ回路を２回使用することで、回路の複雑化を防いでいる。しかし、この方法では、大容量の静止画像を複数回読み込んで縮小、フィルタ処理を行うため、処理効率の低下が懸念される。
【先行技術文献】
【特許文献】
【０００６】
【特許文献１】特開２００５−１１７３９９
【特許文献２】特許３３０５９４４号
【発明の概要】
【発明が解決しようとする課題】
【０００７】
したがって、これらの点に着目してなされた本発明の目的は、回路規模の増大によるコストの増大や処理速度の低下を招くことなく、ぼかした画像を利用した作風表現画像が得られる撮像装置を提供することにある。
【課題を解決するための手段】
【０００８】
上記目的を達成する請求項１に係る撮像装置の発明は、
被写体の画像データを取得する撮像手段と、
前記撮像手段の画像データの読み出しを制御する読出制御手段と、
前記読出制御手段により、第一の解像度かつ第一のフレームレートで読み出された画像データを処理する第一の画像処理手段と、
前記読出制御手段により、第二の解像度かつ第二のフレームレートで読み出された画像データを処理する第二の画像処理手段と、
前記第二の解像度の画像データの読み出しを指示する撮像開始指示手段と、
前記撮像開始指示手段の指示に応じて、前記第一の画像処理手段からの画像データと前記第二の画像処理手段からの画像データとの合成タイミングを制御する合成タイミング制御手段と、
前記合成タイミング制御手段の制御により、前記第一の画像処理手段で処理された画像データを拡大処理する拡大手段と、
前記合成タイミング制御手段の制御により、前記拡大手段で拡大処理された画像データと前記第二の画像処理手段で処理された画像データとを合成する合成手段と、
を備えることを特徴とするものである。
【０００９】
請求項２に係る発明は、請求項１に記載の撮像装置において、前記読み出し制御手段は、前記第一の解像度かつ前記第一のフレームレートで動画を読み出し、前記撮像開始指示手段の指示により、前記第一の解像度より高い前記第二の解像度かつ前記第一のフレームレートより低い前記第二のフレームレートで静止画を読み出すように、前記撮像手段の画像データの読み出しを制御し、前記拡大手段は、前記第一の解像度である動画の順次の画像データを、前記第二の解像度に拡大処理することを特徴とするものである。
【００１０】
請求項３に係る発明は、請求項１に記載の撮像装置において、前記第一の画像処理手段は、過去の画像情報の影響を含む画像データを生成するフレーム巡回型画像処理手段を有し、前記合成手段は、前記フレーム巡回型画像処理手段で処理された画像データと、前記第二の画像処理手段で処理された画像データとを合成することを特徴とするものである。
【発明の効果】
【００１１】
本発明によれば、合成タイミング制御手段のタイミング制御により、第一の画像処理手段からの第一の解像度かつ第一のフレームレートの画像データと、第二の画像処理手段からの第二の解像度かつ第二のフレームレートの画像データとを出力させ、拡大手段で第一の画像処理手段から出力された画像を拡大処理してぼかした画像を生成し、これを、合成手段により第二の画像処理手段から出力された画像データと合成するようにしたので、作風表現のための追加的なフィルタを必要とせず、回路規模の増大を防ぎ、コストの増大や処理速度の低下を招くことなく作風表現された画像の記録が可能な撮像装置を提供することができる。
【図面の簡単な説明】
【００１２】
【図１】本発明の第１実施の形態としての撮像装置の要部を示す機能ブロック図である。
【図２】第１実施の形態による撮像装置の動作を示すフローチャートである。
【図３】撮像装置の合成処理を示すフローチャートである。
【図４】画素間引きによる画素の読み出しを説明する図である。
【図５】動画像処理手段および静止画像処理手段で処理される画像データの大きさを示す図である。
【図６】線形補間による画像の拡大方法を説明する図である。
【図７】本発明の第２実施の形態における動画像処理手段に含まれるフレーム巡回型画像処理手段を示す機能ブロック図である。
【図８】従来技術における作風表現を施した画像を撮像する撮像装置の要部を示す機能ブロック図である。
【発明を実施するための形態】
【００１３】
以下、本発明の実施の形態について、図を参照して説明する。
【００１４】
図１は、本発明の第１実施の形態としての撮像装置の要部を示す機能ブロック図である。この撮像装置は、撮像手段１、読出制御手段２、第一の画像処理手段である動画像処理手段３、第二の画像処理手段である静止画像処理手段４、セレクタ５、合成手段６、拡大手段７、表示手段８、縮小手段９、記録手段１０、セレクタ１１、撮像開始指示手段１２、制御手段１３および制御手段１４を含んで構成される。また、合成手段６には拡大手段７が含まれ、制御手段１３には合成タイミング制御手段１４が含まれる。
【００１５】
撮像手段１は、被写体を撮像するものであり、ＣＣＤ等から構成される。読出制御手段２は、制御手段１３からの指示に基づき、この撮像手段１を制御して、画素信号の読み出し方法を、全画素読出し、または、画素数を間引いた間引き読出しを含む複数の方法から選択して制御する。また、動画像処理手段３は、撮像手段１から間引き読み出しによる画像データを受け取り、動画像として処理するものである。静止画像処理手段４は、撮像手段１から全画素の読み出しデータを受け取り、静止画像としての処理を行うものである。撮像素子１と動画像処理手段３および静止画像処理手段４との間に設けられたセレクタ５は、制御手段１３の制御により、撮像手段１からの出力を動画像処理手段３または静止画像処理手段４のいずれかに送出する。
【００１６】
縮小手段９は、動画像処理手段３で処理された画像を画素間引き等により縮小処理するものであり、縮小処理された画像データを、電子ビューファインダ等の表示手段８に出力する。表示手段８は、この縮小処理された動画像を表示する。
【００１７】
一方、合成手段６は、動画像処理手段３で処理された画像データと静止画像処理手段４で処理された画像データとを合成するものである。ここで、合成手段６の拡大手段７は、画素間引きされた動画像処理手段３から入力された画像データを、補間処理により画像データを拡大して、静止画像処理手段４からの画像データと同じ画素数にするものである。また、制御手段１３の合成タイミング制御手段１４は、動画像処理手段３からの画像データと静止画像処理手段４からの画像データとを、合成手段６で合成するためタイミングの同期をとるものである。
【００１８】
また、記録手段１０は、撮像した画像データを記録するためのものである。セレクタ１１は、記録手段１０の前段に設けられており、その入力は動画像処理手段３および合成手段６の出力に接続されている。このセレクタ１１は、制御手段１３の制御により、動画像記録する場合の動画像処理手段３からの動画像データ、または、前述の合成手段６により合成された画像データのいずれかを選択的に、記録手段１０に出力する。
【００１９】
撮像開始指示手段１２は、本撮像装置の使用者が撮像開始を指示するレリーズ等である。この撮像開始指示に応じて、撮像開始指示手段１２に接続された制御手段１３の制御により、読出制御手段２、動画像処理手段３、静止画像処理手段４、セレクタ５、合成手段６およびセレクタ１１の各制御が行われる。
【００２０】
次に、本実施の形態に係る撮像装置の動作を図２から図６を用いて説明する。
【００２１】
図２は、撮像装置の動作を示すフローチャートである。まず、図示しない電源を入れると撮像装置は撮像の準備状態となる。この状態のとき、制御手段１３は、読出制御手段２を制御し（ステップＳ１０１）、撮像手段１から表示用の画像データを後述するように画素間引きにより間引きして出力させる（ステップＳ１０２）。これと同時に、制御手段１３は、セレクタ５を制御して、撮像手段１から出力された間引きされた画像データを、動画像処理手段３に入力させる。動画像処理手段３は、間引きされた画像データに対して、色処理等の所定の動画像処理を行い（ステップＳ１０３）、縮小手段９に出力する。縮小手段９は、動画像処理手段３から入力された画像データを、表示手段８が表示できる大きさに縮小処理し（ステップＳ１０４）、表示手段８に出力し、表示手段８は、この縮小処理された画像データを表示する（ステップＳ１０５）。このステップＳ１０１〜ステップＳ１０５までの処理は、撮像開始指示手段１２による撮像開始指示があるまで繰り返される。これによって、表示手段８に表示される画像データは、繰返し更新されることにより、いわゆるライブ画像として表示される。
【００２２】
なお、ステップ１０３により所定の画像処理を行った画像データを、記録手段１０に記録することもできる。この場合、制御手段１３がセレクタ１１を制御して、動画像処理手段３から出力された画像データを、記録手段１０に入力させる。
【００２３】
次に、ステップＳ１０２における画素間引きによる読み出し方法を説明する。画素間引きとは、撮像手段１を構成する撮像素子から画像信号を出力させる際に、画像全体を構成する画素の一部のみから信号を読出すことである。例えば、図４に画素間引きの例を示す。この図において、Ｐｘｙは水平位置ｘ、垂直位置ｙの画素を示す。全画素の画素並びが、図４（ａ）で示すようにＰ１１〜Ｐ５５の５行５列の各画素を含むとき、水平方向および垂直方向に１画素おきに画素を間引くと、偶数行および偶数列の各画素は除かれ、図４（ｂ）で示した画素のみが残る。
【００２４】
このように、画素間引きを行うことにより、撮像手段１から読み出す画素数が少なくなるので、読み出し時間を短縮することができ、動画の撮像においては読み出し速度の低下を防ぎ、出力画像のフレームレートを確保することができる。例えば、撮像手段１の全画素を読み出す場合に、毎秒１フレームの撮像が可能であるとすると、読み出し画素数を３０分の１にすることにより、毎秒３０フレームの撮像が可能となる。すなわち、この場合、静止画を撮像する第二の解像度は全画素の解像度であり、かつ、第二のフレームレートは１フレーム／秒であり、動画像を撮像する第一の解像度は全画素の解像度の３０分の１であり、第二のフレームレートは、３０フレーム／秒となる。
【００２５】
一方、撮像開始指示手段１２により撮像開始が指示されると（ステップＳ１０６）、制御手段１３は合成処理に移行する。以下に、図３のフローチャートを用いて合成処理の動作を説明する。まず、制御手段１３は、読出制御手段２を制御し（ステップＳ２０１）、撮像手段１から全画素の画像データを出力させる（ステップＳ２０２）。これと同時に、制御手段１３は、セレクタ５を制御して、撮像手段１から出力された全画素の画像データを、静止画像処理手段４に入力させる。静止画像処理手段４は、全画素の画像データに対して、色処理等の所定の静止画像処理を行う（ステップＳ２０３）。
【００２６】
次に、合成タイミング制御手段１４からの制御により、動画像処理手段３は、動画像処理手段３の図示しない記憶手段に残されている、撮像開始（ステップＳ１０６）直前のフレームの画像データを合成手段６へ出力する。また、同じく合成タイミング制御手段１４からの制御により、静止画像処理手段４は、ステップＳ２０３で画像処理を行った上記画像データを、上記動画像処理手段３から合成手段６への画像データの出力とタイミングを合わせて、合成手段６に出力する（ステップＳ２０４）。
【００２７】
合成手段６は、動画像処理手段３から入力された画像データを、後述するように拡大手段７により、静止画像処理手段４から入力される画像データと同じサイズに拡大し（ステップＳ２０５）、静止画像処理手段４から入力される画像データと合成して（ステップＳ２０６）作風表現された画像データとして出力する。同時に、セレクタ１１は制御手段１３により制御され、合成手段６から出力された作風表現された画像データを記録手段１０に出力し、記録手段１０がこれを動画像として記録する。
【００２８】
ここで、図５および図６を用いて、動画像処理手段３から入力された画像データを、静止画像処理手段４から入力される画像データと同じサイズに拡大する方法を説明する。図５（ａ）は、動画像処理手段３で処理された画像データの大きさを示し、図５（ｂ）は、静止画像処理手段４で処理された画像データの大きさを示す図である。ここで、動画像処理手段３で処理された画像データの水平方向および垂直方向の画素数をそれぞれｘ１、ｙ１とし、静止画像処理手段４で処理された画像データの水平方向および垂直方向の画素数をそれぞれｘ２、ｙ２として表している。これにより、水平方向および垂直方向の拡大率は、次のように表すことができる。
水平方向の拡大率 = ｘ２÷ｘ１
垂直方向の拡大率 = ｙ２÷ｙ１
【００２９】
そこで、水平方向および垂直方向のそれぞれについて、上記拡大率に基づいて画像を拡大する。拡大は、線形補間により行うことができる。例えば、水平方向および垂直方向の拡大率がともに２の場合について説明する。動画処理手段３で処理された画像の画素並びの一部が、図６（ａ）のＰ１１〜Ｐ５５で示される間引きされた画像データであるとする。画像データの拡大は、図６（ｂ）で示すように、間引きされたＰ１１〜Ｐ５５の各画素間に、画素Ｑｘｙを生成して配置することにより行う（Ｑｘｙのｘおよびｙは水平および垂直方向の位置を示すものとする）。Ｑｘｙは、次に示す線形補間によって生成することができる。
Ｑ１２ ＝（Ｐ１１＋Ｐ１３）÷２
Ｑ２１ = （Ｐ１１＋Ｐ３１）÷２
Ｑ２２ = （Ｐ１１＋Ｐ１３＋Ｐ３１＋Ｐ３３）÷４
なお、上記では、Ｑ１２，Ｑ２１およびＱ２２の線形補間の計算方法についてのみ示したが、他のＱｘｙについても同様な計算を行い生成することができる。
【００３０】
このように、補間を行うことにより画像を拡大すると、同じ画素数の撮像画像よりぼかした画像となる。このぼかした画像と、静止画処理手段４で処理された撮像画像とを合成することにより、作風表現を実現する。ここで、動画像処理手段３で撮像開始指示前に間引かれた画像を使用することによって、縮小処理のために別途フィルタを設ける必要が無く、撮像開始指示後に撮像した画像を縮小処理する時間も不要になる。
【００３１】
以上説明したように、本実施の形態によれば、合成タイミング制御手段１４で制御して、静止画像処理手段４から全画素の画像データを出力させるとともに、動画像処理手段３からこれと撮像時間の近い画素の間引かれた画像を出力させ、拡大手段７で動画像処理手段３から出力された画像を拡大してぼかした画像を生成し、これを、合成手段６により静止画像処理手段４から出力された画像データと合成するようにしたので、作風画像生成のためのフィルタを別途必要とせず、回路規模の増大を防ぎ、コストの増大や処理速度の低下を招くことなく作風表現記録が可能な撮像装置を提供することができる。
【００３２】
（第二実施の形態）
図７は、本発明の第２実施の形態における動画像処理手段３の一部を示すブロック図である。本実施の形態において、動画像処理手段３は、フレーム巡回型画像処理手段１５を備える。フレーム巡回型画像処理手段１５は、映像信号のノイズ低減のために使用される公知の技術であり、動画処理手段３内で色処理等の処理を行った画像データが入力され、ノイズ低減された画像データを出力する。このフレーム巡回型画像処理手段１５は、記憶手段１６、乗算手段１７，１８および加算手段１９を含んで構成される。
【００３３】
フレーム巡回型のノイズ低減処理は、一般に、動画のように毎秒３０コマや毎秒６０コマというフレームレートで画像を撮像する場合、画像データが画像フレーム間で高い相関性を有するのに対して、そのノイズ成分は画像フレーム間で相関性がほとんどないという特性を利用して、ノイズ低減を行うものである。図７に示すように、現フレームの画像データを乗算手段１７によりＫ倍し、これに、前フレームの画像データを乗算手段１８により（１−Ｋ）倍して、加算手段１９により巡回加算するとノイズ成分を低減することができる。ここで、加算手段１９により出力される画像は、前フレームの画像を含むので、動きのある画像に対してはこのフレーム巡回のノイズ処理による出力画像は、残像によるぼけを含む。係数Ｋ（０≦Ｋ≦１）の値の選択により、例えば、Ｋを小さくすれば、ノイズ低減効果を大きくできるとともに、残像によるぼけも大きくなる。
【００３４】
本実施の形態における作用について、第１実施の形態の説明で用いた図２および図３のフローチャートを参照して説明する。まず、図２に示した撮像装置の撮像準備状態において、本実施の形態では、ステップＳ１０３にフレーム巡回画像処理が加わる。すなわち、動画像処理手段３が、間引きされた順次の画像データに対して、色処理等の所定の画像処理を行った後、フレーム巡回型画像処理手段１５によりフレーム巡回型のノイズ低減処理を行い、このノイズ低減後の画像データを出力する。図２におけるその他の処理は第１実施の形態と同様である。
【００３５】
つぎに、図３で示した合成処理において、ステップＳ２０４では、第１実施の形態では、動画像処理手段３は、図示しない記憶装置に残された撮像開始直前のフレームの画像データを合成手段６へ出力するものとしていたのを、本実施の形態では、記憶手段１６に残されている画像を合成手段６へ出力するものとする。その他の処理は、第１実施の形態と同様である。前述のように、フレーム巡回型画像処理手段１５により、動画画像処理手段３の記憶手段１６に格納された画像データはぼけを有する。このぼかした画像と静止画像処理手段４から出力される画像データとを合成手段６で合成することにより、作風表現された画像を得ることができる。
【００３６】
以上説明したように、本実施の形態によれば、動画像処理手段３がフレーム巡回型画像処理手段１５を備えているので、動画像処理手段３から出力された画像データがあらかじめぼけを有し、これを、合成手段６により静止画像処理手段４からの画像データと合成することにより、作風表現を実現することができる。これによって、大きなフィルタ回路を必要とすることなく低コストで作風表現による撮像が可能な撮像装置を実現することができる。
【００３７】
なお、本発明は、上記各実施の形態にのみ限定されるものではなく、幾多の変形または変更が可能である。たとえば、表示手段８の解像度が動画処理手段３で処理する画像データの解像度より低いとして縮小手段９を設けたが、表示手段と動画処理手段の解像度との関係によっては縮小手段は、動画像処理手段３で処理された画像を画素補間等により拡大処理する拡大手段である場合もあり、または、縮小手段および拡大手段のいずれも必要ない場合もある。
【００３８】
また、静止画像処理手段４により読み込む画像データを撮像手段１の全画素のデータとしたが、これに限られない。設定によって、静止画像を撮像する際に読み込む画像データを、全画素の４分の１等とし、動画像処理手段３で読み込む画像データを、さらに間引きするようにしても良い。拡大手段７による拡大は、簡単な線形補完によるものを示したがこれに限られずＣｕｂｉｃ補間等他の補間演算を用いても良い。画素間引きは、説明のため、１画素飛ばしで示したが、これに限るものではなく、多種多様な方法がある。また、画素は、実際には、画素毎にフィルタ等により色が決まっているため、その色の配置を考慮した画素間引き、拡大、合成等の処理を行う。
【００３９】
さらに、合成手段６における画像の合成の方法は多種多様であり、実際の作風効果の実現においては、コントラストや動き量に応じて合成する割合を可変させたり、画像データを分割し領域ごとに合成する割合を可変させたりすることなどにより、効果のバリエーションを増やすことにより実現される。
【００４０】
また、第２実施の形態において、フレーム巡回型画像処理手段１５として、ノイズ低減処理を目的とするものを用いて説明したが、フレーム巡回を利用する処理であればこれに限られない。さらに、フレーム巡回型画像処理手段１５には、動画処理手段３内で色処理等の処理を行った画像データが入力されるとしたが、色処理等の処理を行う前の画像データが入力されるようにしても良い。
【００４１】
また、上記各実施の形態では、動画を処理する第一画像処理手段を動画処理手段とし、第二処理手段を静止画を処理する静止画処理手段としたが、第一画像処理手段および第二画像処理手段の双方を動画処理手段として、作風表現された動画像を記録手段に記録するようにすることもできる。その場合、例えば、画素間引きを行う間引き手段を動画像処理手段３とセレクタ５との間に配置して、読出制御手段２、セレクタ５およびこの間引き手段で読出制御手段を構成する。これによって、撮像準備状態では、撮像手段１から出力された画像データを、間引き手段で間引きし、動画像処理手段３で動画像処理して縮小手段９を介して表示手段８に動画表示する。一方、撮像開始指示手段１２に撮像指示が成されると、撮像手段１から出力された順次の画像データを、セレクタ５によって、間引き手段を介して動画像処理手段３に出力するとともに、静止画像処理手段４を置き換えた動画処理手段にも出力するようにする。その後、動画像処理手段３で動画像処理された画像データを拡大手段７で拡大し、これと静止画像処理手段４を置き換えた動画処理手段で動画像処理された画像データとを合成手段６により合成して記録手段１０に記録する。これを、順次の画像データに対して行うことによって、作風表現された動画像を得ることができる。
【符号の説明】
【００４２】
１    撮像手段
２    読出制御手段
３    動画像処理手段
４    静止画像処理手段
５    セレクタ
６    合成手段
７    拡大手段
８    表示手段
９    縮小手段
１０    記録手段
１１    セレクタ
１２    撮像開始指示手段
１３    制御手段
１４    合成タイミング制御手段
１５    フレーム巡回型画像処理手段
１６    記憶手段
１７    乗算器
１８    乗算器
１９    加算手段
【図１】
2010206510.tif 000003
【図２】
2010206510.tif 000004
【図３】
2010206510.tif 000005
【図４】
2010206510.tif 000006
【図５】
2010206510.tif 000007
【図６】
2010206510.tif 000008
【図７】
2010206510.tif 000009
【図８】
2010206510.tif 000010